(57)【要約】【課題】  ハンドルの取り付け作業性に優れ、取り付け後にガタ付きがないドアハンドル装置を提供する。【解決手段】  ドアパネル２の内面側に固定されたベース部材３と、ドアパネル２の外面側から操作され、ベース部材３に一端側が回転自在に支持されたハンドル４とを備えたドアハンドル装置１のハンドル４を、ベース部材３に回転自在に支持され、アーム側被嵌合部１３を具備した支持アーム部材１０と、ドアパネル２の外面側に配置され、一端側にアーム側被嵌合部１３と嵌合する本体側嵌合部１４を具備したハンドル本体とで構成する。【選択図】      図１
2006307586.tif 000002
【特許請求の範囲】
【請求項１】
ドアパネルの内面側に固定されたベース部材と、ドアパネルの外面側から操作され、ベース部材に一端側が回転自在に支持されたハンドルとを備えたドアハンドル装置において、
前記ハンドルが、
前記ベース部材に回転自在に支持され、アーム側被嵌合部を具備した支持アーム部材と、
前記ドアパネルの外面側に配置され、一端側に該アーム側被嵌合部と嵌合する本体側嵌合部を具備したハンドル本体とから構成されたことを特徴とするドアハンドル装置。
【請求項２】
請求項１記載のドアハンドル装置であって、
前記アーム側被嵌合部が、前記ドアパネルの表面に露出するように配置されたことを特徴とするドアハンドル装置。
【請求項３】
請求項１または請求項２に記載のドアハンドル装置であって、
前記アーム側被嵌合部が、
前記支持アーム部材よりも小径の支持ピン部と、
この支持ピンの先端部分に設けられ、前記支持ピン部よりも大径の嵌合突起とから構成され、
前記本体側嵌合部が、
嵌合突起が収容される嵌合室と、
この嵌合室の挿入口側に配置され、前記嵌合突起よりも大径の大径溝部と、この大径溝部に連続して設けられ、前記支持ピン部が嵌合される小径溝部とからなる係脱溝とから構成されたことを特徴とするドアハンドル装置。
【発明の詳細な説明】
【技術分野】
【０００１】
本発明は、車両のアウトサイドハンドル等に適用されるドアハンドル装置に関する。
【背景技術】
【０００２】
この種の従来のドアハンドル装置としては、特許文献１に開示されたものがある。
【０００３】
このドアハンドル装置１００は、図６に示すように、ドアパネル１０１の内面側に固定されたベース部材１０２と、ドアパネル１０１の外面側に配置されたハンドル１０３とを備えている。
【０００４】
ハンドル１０３の一端側には支持アーム部１０３ａが延設されている。この支持アーム部１０３ａはドアパネル１０１の孔１０１ａよりも内面側に挿入されている。ドアパネル１０１内に挿入された支持アーム部１０３ａは、ベース部材１０２の支持軸１０２ａに揺動自在に支持されている。ハンドル１０３の他端側には係止アーム部１０３ｂが延設されている。係止アーム部１０３ｂは、ドアパネル１０１の孔１０１ｂよりも内側に挿入されている。係止アーム部１０３ｂは、図示しないロック機構に係脱される。
【０００５】
次に、ハンドル１０３の取り付け作業を説明する。ハンドル１０３の支持アーム部１０３ａをドアパネル１０１の孔１０１ａに挿入する。次に、ハンドル１０３をａ矢印方向にスライドして支持アーム部１０３ａをドアパネル１０１内の支持軸１０２ａに軸支する。その後に、ハンドル１０３の他端の外側位置にエスカッション（図示せず）等を取り付ければ、ハンドル１０３のｂ矢印方向のスライドが規制される。これによって、ハンドル１０３は支持軸１０２ａから外れることなく取り付けされる。
【特許文献１】特許第２８９６３１４号公報
【発明の開示】
【発明が解決しようとする課題】
【０００６】
しかしながら、従来のドアハンドル装置１００では、ハンドル１０３を軸支する支持軸１０２ａがドアパネル１０１内の奥位置に位置するため、作業者がハンドル１０３の取り付け過程で支持軸１０２ａの位置を目視で確認できない。従って、ハンドル１０３の取り付け時の作業性が悪いという問題がある。
【０００７】
また、取り付けされたハンドル１０３は、操作時に組み付け誤差等によって他部材との干渉がないように、ｂ矢印方向に少しスライドできるよう余裕を持って取り付けされる。しかし、従来例のハンドル１０３は、ｂ矢印方向に移動できるため、これによってハンドル１０３はガタ付くという問題がある。
【０００８】
そこで、本発明は、ハンドルの取り付け作業性に優れ、しかも、取り付け後にハンドルを操作する際にガタ付きがないドアハンドル装置を提供することを目的とする。
【課題を解決するための手段】
【０００９】
上記目的を達成する請求項１の発明は、ドアパネルの内面側に固定されたベース部材と、ドアパネルの外面側から操作され、ベース部材に一端側が回転自在に支持されたハンドルとを備えたドアハンドル装置において、前記ハンドルは、前記ベース部材に回転自在に支持され、アーム側被嵌合部を具備した支持アーム部材と、前記ドアパネルの外面側に配置され、一端側に該アーム側被嵌合部と嵌合する本体側嵌合部を具備したハンドル本体とで構成されたことを特徴とする。
【００１０】
請求項２の発明は、請求項１記載のドアハンドル装置であって、前記アーム側被嵌合部が、前記ドアパネルの表面に露出するように配置されたことを特徴とする。
【００１１】
請求項３の発明は、請求項１または請求項２に記載のドアハンドル装置であって、前記アーム側被嵌合部は、前記支持アーム部材よりも小径の支持ピン部と、この支持ピンの先端部分に設けられ、前記支持ピン部よりも大径の嵌合突起とから構成され、前記本体側嵌合部は、嵌合突起が収容される嵌合室と、この嵌合室の挿入口側に配置され、前記嵌合突起よりも大径の大径溝部と、この大径溝部に連続して設けられ、前記支持ピン部が嵌合される小径溝部とからなる係脱溝とから構成されたことを特徴とする。
【発明の効果】
【００１２】
請求項１の発明によれば、ハンドルの支持アーム部材は予めベース部材に回転のみ可能なように支持されているため、ハンドルを操作する際にガタ付かない。又、本体側嵌合部とアーム側嵌合部とを嵌合することでハンドル本体を取付けることができるため取付作業性に優れている。
【００１３】
請求項２の発明によれば、請求項１の発明の効果に加え、支持アーム部材の被嵌合部がドアパネルの表面に露出し、作業者がハンドル本体を支持アーム部材に取り付けする際に目視できるため、取付作業性に優れている。
【００１４】
請求項３の発明によれば、請求項１、２の発明の効果に加え、支持アーム部材の嵌合突起をハンドル本体の大径溝部から嵌合室に挿入し、その後にハンドル本体をスライドして小径溝部に支持ピン部を填め込めば嵌合作業が完了するため、さらに嵌合作業が容易である。
【発明を実施するための最良の形態】
【００１５】
以下、本発明の一実施形態を図面に基づいて説明する。
【００１６】
図１〜図５は本発明の一実施形態を示し、図１（ａ）はハンドル４の取り付け完了状態を示すドアハンドル装置１の断面図、図１（ｂ）は図１のＡ−Ａ線断面図、図２はドアパネル２の正面図、図３はハンドル本体１１の裏面図、図４（ａ）は支持アーム部材１０の嵌合突起１３ｂをハンドル本体１１の大径溝部１６ａから嵌合室１５に挿入した状態を示すドアハンドル装置１の断面図、図４（ｂ）は図４（ａ）のＢ−Ｂ線断面図、図５はハンドル４を操作した状態を示すドアハンドル装置１の断面図である。
【００１７】
ドアハンドル装置１は、図１（ａ）、（ｂ）、図２及び図３に示すように、ドアパネル２の内面側に固定されたベース部材３と、ドアパネル２の外面側から操作されるグリップ式のハンドル４と、このハンドル４の他端側の近傍に配置され、ベース部材３に固定されたエスカッション５とを備えており、ハンドル４が図１に示すドアロック位置と図５に示すロック解除位置との間を揺動自在に配置されている。また、ドアパネル２には、２箇所にハンドル用孔２ａ，２ｂが形成されている。なお、ドアハンドル装置によっては、ベース部材３に固定され、エスカッション５にメカニカルキー（図示せず）の挿入部が位置するキーシリンダ本体（図示せず）が配置される。
【００１８】
ハンドル４は、ドアパネル２の内面側に配置され、ベース部材３に回転自在に支持された支持アーム部材１０と、ドアパネル２の外面側に配置されるハンドル本体１１とから別部材で構成されている。
【００１９】
支持アーム部材１０は、Ｌ字形状をなし、その一端側がベース部材３の支持軸１２によって回転のみ可能に支持されているとともに、回転してベース部材３内部側に入り込まないように、且つドアロック位置で支持アーム部材１０の他端側の先端部分が、ドアパネル２のハンドル用孔２ａから露出するように、ベース部材３に設けられたストッパ３ａに係止されてる。また、この露出した支持アーム部材１０の先端部分の端面には、アーム側被嵌合部１３が設けられている。そして、ハンドル本体１１の一端側には本体側嵌合部１４が設けられている。
【００２０】
ハンドル本体１１は、その他端側に係止アーム部１１ａが一体に突設されている。この係止アーム部１１ａはドアパネル２のハンドル用孔２ｂよりも内面側に挿入されている。ドアパネル２の内面側に挿入された係止アーム部１１ａは、ドアロック機構のロック部（図示せず）に連係した状態で配置されている。
【００２１】
アーム側被嵌合部１３は、支持アーム部材１０よりも小径の支持ピン部１３ａと、この先端部分である端面に設けられ、支持ピン部１３ａよりも大径の円板状の嵌合突起１３ｂとから構成されている。本体側嵌合部１４は、嵌合突起１３ｂが収容される嵌合室１５と、この嵌合室１５の挿入口側に配置された係脱溝１６とを備えている。係脱溝１６は、嵌合突起１３ｂよりも大径の大径溝部１６ａと、この大径溝部１６ａに連続して設けられ、支持ピン部１３ａよりも若干だけ小さく、支持ピン部１３ａが嵌合される小径溝部１６ｂとから構成されている。そして、嵌合突起１３ｂが小径溝部１６ｂの位置で嵌合室１５に嵌合されることによってハンドル本体１１は支持アーム部材１０に嵌合されている。
【００２２】
次に、ハンドル４の取り付け作業を説明する。ベース部材３には予め支持アーム部材１０が支持軸１２を介して回転自在に取り付けされている。そして、支持アーム部材１０はその揺動位置にかかわらずドアパネル２のハンドル用孔２ａに露出する位置に位置する。
【００２３】
先ず、図４（ａ）、（ｂ）に示すように、ドアパネル２の外側からハンドル本体１１をドアパネル２側に近づけ、ハンドル本体１１の大径溝部１６ａから支持アーム部材１０の嵌合突起１３ｂを嵌合室１５に挿入する。
【００２４】
次に、ハンドル本体１１を図４のａ矢印方向にスライド移動する。すると、図１（ａ）、（ｂ）に示すように、支持アーム部材１０の嵌合突起１３ｂが嵌合室１５内を、支持ピン部１３ａが大径溝部１６ａから小径溝部１６ｂに移動する。これにより、ハンドル本体１１の本体側嵌合部１４が支持アーム部材１０のアーム側被嵌合部１３に嵌合される。この後に、キーシリンダ本体（図示せず）及びエスカッション５をベース部材３に取り付ける。ハンドル本体１１はキーシリンダ本体（図示せず）及びエスカッション５によってｂ矢印方向への移動が阻止される。これによって、ハンドル本体１１と支持アーム部材１０間の嵌合状態が外れることはない。
【００２５】
ハンドル４の取り付け後において、ハンドルを図５のｃ矢印方向に操作すると、ハンドル４は支持軸１２を支点としてドアロック位置とロック解除位置間を揺動する。
【００２６】
以上説明したように、支持アーム部材１０のアーム側被嵌合部１３がドアパネル２の表面に露出し、作業者がハンドル本体１１を支持アーム部材１０に取り付けする際に目視できるため、取付け作業性が良い。又、ハンドル４の支持アーム部材１０は、予めベース部材３に回転のみ可能なように支持されているので、ハンドル４は取り付け後にガタ付くことがない。
【００２７】
この実施形態では、アーム側被嵌合部１３は、支持アーム部材１０よりも小径の支持ピン部１３ａと、この端面に設けられ、支持ピン部１３ａよりも大径の嵌合突起１３ｂであり、本体側嵌合部１４は、嵌合突起１３ｂが収容される嵌合室１５と、この嵌合室１５の挿入口側に配置された係脱溝１６とを備え、係脱溝１６は、嵌合突起１３ｂよりも大径の大径溝部１６ａと、この大径溝部１６ａに連続して設けられ、嵌合突起１３ｂよりも小径で、且つ、支持ピン部１３ａよりも大径の小径溝部１６ｂとから構成されている。従って、ハンドル本体１１の大径溝部１６ａから支持アーム部材１０の嵌合突起１３ｂを嵌合室１５に挿入し、その後にハンドル本体１１をスライドして小径溝部１６ｂに支持ピン部１３ａを填め込めば嵌合作業が完了し、嵌合作業が容易である。
【００２８】
尚、アーム側被嵌合部１３と本体側嵌合部１４の構成を逆にしても良い。つまり、本体側嵌合部１４は、支持アーム部材よりも小径の支持ピン部と、この端面に設けられ、支持ピン部よりも大径の嵌合突起とから構成され、アーム側被嵌合部１３は、嵌合突起が収容される嵌合室と、この嵌合室の挿入口側に配置された係脱溝とを備え、この係脱溝は、前記嵌合突起よりも大径の大径溝部と、この大径溝部に連続して設けられ、前記支持ピン部が嵌合される小径溝部とから構成しても良い。
【図面の簡単な説明】
【００２９】
【図１】本発明の一実施形態を示し、（ａ）はハンドルの取り付け完了状態（ドアロック位置）を示すドアハンドル装置の断面図、（ｂ）は図１のＡ−Ａ線断面図である。
【図２】本発明の一実施形態を示し、ドアパネルの正面図である。
【図３】本発明の一実施形態を示し、ハンドル本体の裏面図である。
【図４】本発明の一実施形態を示し、（ａ）は支持アーム部材の嵌合突起をハンドル本体の大径溝部から嵌合室に挿入した状態を示すドアハンドル装置の断面図、（ｂ）は図４（ａ）のＢ−Ｂ線断面図である。
【図５】本発明の一実施形態を示し、ハンドルを操作した状態（ロック解除位置）を示すドアハンドル装置の断面図である。
【図６】従来例のドアハンドル装置の断面図である。
【符号の説明】
【００３０】
１  ドアハンドル装置
２  ドアパネル
３  ベース部材
４  ハンドル
１０  支持アーム部材
１１  ハンドル本体
１３  アーム側被嵌合部
１３ａ  支持ピン部
１３ｂ  嵌合突起
１４  本体側嵌合部
１５  嵌合室
１６  係脱溝
１６ａ  大径溝部
１６ｂ  小径溝部
【図１】
2006307586.tif 000003
【図２】
2006307586.tif 000004
【図３】
2006307586.tif 000005
【図４】
2006307586.tif 000006
【図５】
2006307586.tif 000007
【図６】
2006307586.tif 000008